(57)【要約】【課題】  撮像者が画像データを撮像していない場所に関する情報を電子アルバムに組み込むことができる電子アルバム作成装置を提供することである。【解決手段】  本発明に係る電子アルバム作成装置１２は、複数の画像データをコンピュータに出力させる電子アルバムを作成する電子アルバム作成装置であって、撮像地点が既知の複数の画像データを取得する画像データ取得手段２０と、複数の所定場所に関するコンテンツデータを記憶するコンテンツ記憶手段３２と、画像データの撮像地点に関連する所定場所に関するコンテンツデータをコンテンツ記憶手段３２から抽出するコンテンツ抽出手段３４と、画像データとコンテンツ抽出手段が抽出したコンテンツデータとを有する電子アルバムを編集する電子アルバム編集手段３６とを有する。【選択図】図１
2006178844.tif 000002
【特許請求の範囲】
【請求項１】
複数の画像データをコンピュータに出力させる電子アルバムを作成する電子アルバム作成装置であって、
撮像地点が既知の複数の画像データを取得する画像データ取得手段と、
複数の所定場所に関するコンテンツデータを記憶するコンテンツ記憶手段と、
取得した画像データの撮像地点に関連する所定場所に関するコンテンツデータをコンテンツ記憶手段から抽出するコンテンツ抽出手段と、
画像データとコンテンツ抽出手段が抽出したコンテンツデータとを有する電子アルバムを編集する電子アルバム編集手段とを有することを特徴とする電子アルバム作成装置。
【請求項２】
画像データの撮像時刻が既知であって、
コンテンツ抽出手段が、複数の画像データの撮像地点を通過する仮想軌跡に関連する所定場所に関するコンテンツデータをコンテンツ記憶手段から抽出することを特徴とする請求項１に記載の電子アルバム作成装置。
【請求項３】
複数の画像データをコンピュータに出力させる電子アルバムを作成する電子アルバム作成装置であって、
撮像時刻が既知の複数の画像データを取得する画像データ取得手段と、
時刻情報を含み複数の画像データの撮像者の移動軌跡の情報を取得する移動軌跡情報取得手段と、
複数の所定場所に関するコンテンツデータを記憶するコンテンツ記憶手段と、
移動軌跡情報取得手段が取得した移動軌跡に関連する所定場所に関するコンテンツデータをコンテンツ記憶手段から抽出するコンテンツ抽出手段と、
画像データとコンテンツ抽出手段が抽出したコンテンツデータとを有する電子アルバムを編集する電子アルバム編集手段とを有することを特徴とする電子アルバム作成装置。
【請求項４】
コンテンツ抽出手段が抽出したコンテンツデータから電子アルバムに組み込むコンテンツデータをユーザに選択させるためにコンテンツ抽出手段が抽出したコンテンツデータを出力する出力手段と、
ユーザによる選択指示を入力するための入力手段を有し、
電子アルバム編集手段が、ユーザに選択されたコンテンツデータを用いて電子アルバムを編集することを特徴とする請求項１〜３のいずれか一に記載の電子アルバム作成装置。
【請求項５】
電子アルバムが、複数の画像データを撮像時刻順にコンピュータに出力させる出力プログラムを有することを特徴とする請求項２〜４のいずれか一に記載の電子アルバム作成装置。
【請求項６】
出力プログラムが、抽出されたコンテンツデータに対応する所定場所から最短距離に存在する上記仮想軌跡または上記移動軌跡上の仮想点を算出し、該仮想点近傍の撮像地点に対応する撮像時刻に基づいて該仮想点に対応する擬似時刻を算出し、撮像地点に対応する撮像時刻と該仮想点に対応する擬似時刻に基づいて、撮像地点に対応する画像データと該仮想点と対応する所定場所に関するコンテンツデータを連続出力するようにコンピュータを機能させることを特徴とする請求項５に記載の電子アルバム作成装置。
【請求項７】
出力プログラムが、上記仮想軌跡または上記移動軌跡を表示させ、出力されている画像データの撮像地点または出力されているコンテンツデータに対応する所定場所に対応する仮想点が存在する上記仮想軌跡または上記移動軌跡上の位置を、上記仮想軌跡または上記移動軌跡上の他の位置と区別可能に特徴付けるようにコンピュータに表示させる請求項６に記載の電子アルバム作成装置。
【請求項８】
出力プログラムが、画像データの撮像地点とコンテンツデータに対応する所定場所の位置関係をコンピュータに表示させ、出力されている画像データの撮像地点または出力されているコンテンツデータに対応する所定場所を、他の撮像地点および他の所定場所と区別可能に特徴付けるようにコンピュータに表示させることを特徴とする請求項５〜７のいずれか一に記載の電子アルバム作成装置。
【請求項９】
請求項１〜８のいずれか一に記載の電子アルバム作成装置と
撮像した画像データに撮像地点または撮像時刻の少なくとも一方の情報を付加する撮像手段を有することを特徴とする電子アルバム作成システム。
【請求項１０】
画像データ取得手段は撮像地点と撮像時刻が未知の第２の画像データを取得できるように構成されており、
第２の画像データに対応する撮像地点または撮像時刻の情報をユーザからの入力によって得て、第２の画像データにユーザによって入力された撮像地点または撮像時刻の情報を対応付ける撮像地点・撮像時刻情報取得手段を有することを特徴とする請求項１または３のいずれかに記載の電子アルバム作成装置。
【請求項１１】
複数の画像データをコンピュータに出力させる電子アルバムを作成する電子アルバム作成装置であって、
撮像地点が未知の複数の画像データを取得する画像データ取得手段と、
画像データ取得手段が取得した該画像データに対応する撮像地点の情報をユーザからの入力によって得て、該画像データにユーザによって入力された撮像地点の情報を対応付ける撮像地点情報取得手段と、
複数の所定場所に関するコンテンツデータを記憶するコンテンツ記憶手段と、
画像データに対応付けられた撮像地点に関連する所定場所に関するコンテンツデータをコンテンツ記憶手段から抽出するコンテンツ抽出手段と、
画像データとコンテンツ抽出手段が抽出したコンテンツデータとを有する電子アルバムを編集する電子アルバム編集手段とを有することを特徴とする電子アルバム作成装置。
【請求項１２】
複数の画像データをコンピュータに出力させる電子アルバムを作成する電子アルバム作成装置であって、
撮像時刻が未知の複数の画像データを取得する画像データ取得手段と、
画像データ取得手段が取得した該画像データに対応する撮像時刻の情報をユーザからの入力によって得て、該画像データにユーザによって入力された撮像時刻の情報を対応付ける撮像時刻情報取得手段と、
時刻情報を含み複数の画像データの撮像者の移動軌跡の情報を取得する移動軌跡情報取得手段と、
複数の所定場所に関するコンテンツデータを記憶するコンテンツ記憶手段と、
移動軌跡情報取得手段が取得した移動軌跡に関連する所定場所に関するコンテンツデータをコンテンツ記憶手段から抽出するコンテンツ抽出手段と、
画像データとコンテンツ抽出手段が抽出したコンテンツデータとを有する電子アルバムを編集する電子アルバム編集手段とを有することを特徴とする電子アルバム作成装置。
【発明の詳細な説明】
【技術分野】
【０００１】
本発明は、複数の画像データをコンピュータに出力させる電子アルバムを作成する電子アルバム作成装置、および電子アルバム作成システムに関する。
【背景技術】
【０００２】
現在、デジタルカメラによって撮像した画像をコンピュータを介して閲覧することができる電子アルバムが普及している。
【０００３】
電子アルバムは、実質的に、画像、音声、テキストなどのデータである複数のコンテンツデータと、コンテンツデータをコンピュータに出力させるコンテンツ出力プログラムから構成される。コンテンツ出力プログラムは、コンテンツデータを所定の出力形式（例えば、画像、テキストを所定の順番や所定のレイアウトで表示装置の表示画面に表示し、場合によっては音声をスピーカから同期出力するなど）で表示装置や音声出力装置に出力するようにコンピュータを機能させるプログラムである。
【０００４】
コンテンツ出力プログラムが実行されると、例えば、コンピュータは、表示装置の表示画面に複数の画像データの画像を所定の順番で表示する。
【０００５】
また、電子アルバムの一形態として、コンテンツデータである画像データが撮像地点（画像データが撮像された地点）と関連付けされて表示されるものがある（特許文献１参照。）。これは、画像データの撮像地点を示した地図を表示装置の表示画面に表示し、地図上において撮像地点が電子アルバム閲覧者に指定（例えば、マウスでクリック）されると、撮像地点で撮像された画像データに対応する画像を表示画面に表示するものである。例えば、電子アルバム閲覧者が撮像者である場合、後日、電子アルバムを閲覧したとき、地図によって旅行の軌跡を知ることができるとともに旅行当時の旅行気分を味わうことができる。
【特許文献１】特開２００１−１６００５８公報
【発明の開示】
【発明が解決しようとする課題】
【０００６】
しかしながら、上述の電子アルバムは、旅行時に訪れたにも関わらず画像データを撮像しなかった非撮像地点（例えば、観光スポット）に関して、アルバム閲覧時になにも表示されないという問題がある。また、旅行者の立場から見れば、旅行時に訪れることができなかった観光スポットに関する情報（画像データを含む情報）を電子アルバムに組み込みたいという要望がある。さらに、観光スポットを有する地域（例えば、観光地）の観光業者の立場から見れば、電子アルバムに様々な観光スポットの情報を組み込むことにより、電子アルバム閲覧者に観光地を宣伝したいという要望がある。
【０００７】
そこで、本発明は、撮像者が画像データを撮像していない場所に関する情報を組み込むことを可能にする構成を有し、それにより、電子アルバム閲覧者が所望する情報や観光業者が所望する宣伝したい場所に関する情報を有する電子アルバムを作成する電子アルバム装置、及び電子アルバム作成システムを提供することを目的とする。
【課題を解決するための手段】
【０００８】
本発明に係る一態様の電子アルバム作成装置は、複数の画像データをコンピュータに出力させる電子アルバムを作成する電子アルバム作成装置であって、撮像地点が既知の複数の画像データを取得する画像データ取得手段と、複数の所定場所に関するコンテンツデータを記憶するコンテンツ記憶手段と、取得した画像データの撮像地点に関連する所定場所に関するコンテンツデータをコンテンツ記憶手段から抽出するコンテンツ抽出手段と、画像データとコンテンツ抽出手段が抽出したコンテンツデータとを有する電子アルバムを編集する電子アルバム編集手段とを有することを特徴とする。
【０００９】
ここで、「関連する」とは、撮像地点と所定場所との間に所定の位置関係が存在することを意味し、一例として、所定場所内に撮像地点が含まれている場合が該当する。画像データと該画像データの撮像地点に関連する所定場所に関するコンテンツデータが電子アルバムに組み込まれることにより、電子アルバム閲覧者は、画像データを閲覧できるとともに、関連する所定場所のコンテンツデータが提供する情報から撮像地点に関する情報をより多く得ることができる。
【００１０】
画像データの撮像時刻が既知である場合、コンテンツ抽出手段は、複数の画像データの撮像地点を通過する仮想軌跡に関連する所定場所に関するコンテンツデータをコンテンツ記憶手段から抽出してもよい。
【００１１】
ここで、「仮想軌跡」とは、複数の画像データの撮像地点を通過する仮想上の撮像者の移動の軌跡をいう。撮像地点が所定場所に存在しない場合であっても、仮想軌跡に関連する所定場所に関するコンテンツデータが抽出可能になる。
【００１２】
本発明に係る別の態様の電子アルバム作成装置は、複数の画像データをコンピュータに出力させる電子アルバムを作成する電子アルバム作成装置であって、撮像時刻が既知の複数の画像データを取得する画像データ取得手段と、時刻情報を含み複数の画像データの撮像者の移動軌跡の情報を取得する移動軌跡情報取得手段と、取得した複数の画像データを保存する画像データ保存手段と、複数の所定場所に関するコンテンツデータを記憶するコンテンツ記憶手段と、移動軌跡情報取得手段が取得した移動軌跡に関連する所定場所に関するコンテンツデータをコンテンツ記憶手段から抽出するコンテンツ抽出手段と、画像データとコンテンツ抽出手段が抽出したコンテンツデータとを有する電子アルバムを編集する電子アルバム編集手段とを有することを特徴とする。
【００１３】
ここで、「移動軌跡」とは、撮像者が移動した実際の軌跡を言う。移動軌跡により、訪れたが撮像していない所定場所に関するコンテンツデータの抽出が可能になる。
【００１４】
電子アルバム作成装置が、コンテンツ抽出手段が抽出したコンテンツデータから電子アルバムに組み込むコンテンツデータをユーザに選択させるためにコンテンツ抽出手段が抽出したコンテンツデータを出力する出力手段と、
ユーザによる選択指示を入力するための入力手段を有し、
電子アルバム編集手段が、ユーザに選択されたコンテンツデータを用いて電子アルバムを編集してもよい。
【００１５】
電子アルバムに組み込まれるコンテンツデータが選択可能であるため、電子アルバム作成者は、所望のコンテンツデータを電子アルバムに組み込むことができる。
【００１６】
画像データの撮像時刻が既知である場合、電子アルバム作成装置によって作成される電子アルバムは、複数の画像データを撮像時刻順にコンピュータに出力させる出力プログラムを備えてもよい。
【００１７】
画像データを撮像時刻順に連続出力するため、アルバムを閲覧した撮像者は、撮像時の状況を思い出すことができる。
【００１８】
出力プログラムは、抽出されたコンテンツデータに対応する所定場所から最短距離に存在する上記仮想軌跡または上記移動軌跡上の仮想点を算出し、該仮想点近傍の撮像地点に対応する撮像時刻に基づいて該仮想点に対応する擬似時刻を算出し、撮像地点に対応する撮像時刻と該仮想点に対応する擬似時刻に基づいて、撮像地点に対応する画像データと該仮想点と対応する所定場所に関するコンテンツデータを連続出力するようにコンピュータを機能させてもよい。
【００１９】
仮想軌跡や移動軌跡に従って、画像データやコンテンツデータが出力されるため、アルバムを閲覧した撮像者は、撮像時の状況を思い出すことができるともに、コンテンツデータに対応する所定場所を訪れたように、コンテンツデータに対応する所定場所についての情報を得ることができる。
【００２０】
出力プログラムは、上記仮想軌跡または上記移動軌跡を表示させ、出力されている画像データの撮像地点または出力されているコンテンツデータに対応する所定場所に対応する仮想点が存在する上記仮想軌跡または上記移動軌跡上の位置を、上記仮想軌跡または上記移動軌跡上の他の位置と区別可能に特徴付けるようにコンピュータに表示させてもよい。
【００２１】
仮想軌跡や移動軌跡に従って画像データやコンテンツデータが出力されるとともに、出力されている画像データの撮像地点やコンテンツデータに対応する所定場所に対応する仮想軌跡上または移動軌跡上の位置が表示されるため、アルバムを閲覧した撮像者は、仮想軌跡上または移動軌跡上において、出力されるコンテンツデータの撮像地点と出力されるコンテンツデータに対応する所定場所との位置関係が認識できる。
【００２２】
出力プログラムは、画像データの撮像地点とコンテンツデータに対応する所定場所の位置関係をコンピュータに表示させ、出力されている画像データの撮像地点または出力されているコンテンツデータに対応する所定場所を、他の撮像地点および他の所定場所と区別可能に特徴付けるようにコンピュータに表示させてもよい。
【００２３】
画像データの撮像地点とコンテンツデータに対応する所定場所の位置関係が表示されるとともに、出力中の画像データの撮像位置やコンテンツデータの所定場所が他の撮像地点や所定場所と区別可能に特徴付けられることにより、アルバム閲覧者は、出力中の画像データの撮像地点やコンテンツデータに対応する所定場所の位置を間違えることなく認識することができる。
【００２４】
本発明に係る電子アルバム作成システムは、上述の電子アルバム作成装置と、撮像した画像データに撮像地点または撮像時刻の少なくとも一方の情報を付加する撮像手段を有することを特徴とする。
【００２５】
撮像手段が画像データに撮像地点と撮像時刻の情報を付加することにより、新たに撮像地点や撮像時刻の情報を画像データに付加するための手段が必要なくなる。
【００２６】
画像データ取得手段は撮像地点と撮像時刻が未知の第２の画像データを取得できるように構成し、電子アルバム作成装置が、第２の画像データに対応する撮像地点または撮像時刻の情報をユーザからの入力によって得て、第２の画像データにユーザによって入力された撮像地点または撮像時刻の情報を対応づける撮像地点・撮像時刻情報取得手段を有してもよい。
【００２７】
画像データ取得手段が撮像地点と撮像時刻が未知の第２の画像データを取得できるように構成され、電子アルバム作成装置が、第２の画像データに対応する撮像地点または撮像時刻の情報をユーザからの入力によって得て、第２の画像データにユーザによって入力された撮像地点または撮像時刻の情報を対応付ける撮像地点・撮像時刻情報取得手段を有することによって第２の画像データの撮影地点や撮影時刻が既知となり、第２の画像データを用いて電子アルバムを作成することが可能になる。
【発明の効果】
【００２８】
本発明によれば、電子アルバム作成装置によって作成された電子アルバムには、撮像者が画像データを撮像していない場所に関する情報が組み込まれ、それにより、電子アルバム閲覧者が所望する情報や観光業者が宣伝したい場所に関する情報も組み込まれる。
【発明を実施するための最良の形態】
【００２９】
まず、本発明に係る実施形態の電子アルバム作成システム（電子アルバム作成装置）を説明し、次に、それらのシステムを用いて作成される電子アルバムを説明する。
【００３０】
第１の実施形態．
本実施形態は、撮像地点と撮像時刻の情報が付加されている画像データを用い、電子アルバム作成者との対話処理によって電子アルバムを作成する電子アルバム作成システムである。画像データは、例えば、旅行者が撮像装置で撮像したものである。
【００３１】
図１は、電子アルバム作成システムの構成を概略的に示す図である。電子アルバム作成システム１０は、概略、電子アルバム作成装置１２と、ＧＰＳ（Ｇｌｏｂａｌ  Ｐｏｓｉｔｉｏｎｉｎｇ  Ｓｙｓｔｅｍ）機能付き撮像装置１４（例えば、ＧＰＳ機能付きカメラ１６やカメラ付きＧＰＳ携帯情報端末１８など）とから構成される。
【００３２】
電子アルバム作成装置１２は、ＧＰＳ機能付き撮像装置１４から画像データを取得する画像データ取得部２０と、電子アルバム作成装置全体を制御する制御部２２と、電子アルバムを記録媒体に記録する電子アルバム記録部２４と、電子アルバム作成時に電子アルバム作成者と対話処理を行う、例えば、表示装置や音声装置などの出力装置からなる出力部２６と、例えば、キーボードやタッチパネルなどの入力装置からなる入力部２８とを有する。
【００３３】
電子アルバム作成装置１２の制御部２２は、画像データ取得部２０が取得した画像データを保存する画像データ保存部３０と、画像データ、音声データ、テキストデータなどのコンテンツデータが予め記憶されているコンテンツ記憶部３２と、コンテンツ記憶部３２からコンテンツデータを抽出するコンテンツ抽出部３４と、画像データとコンテンツ抽出部３４が抽出したコンテンツデータから電子アルバムを編集する電子アルバム編集部３６とを有する。以下、用語「画像データ」は、画像データ取得部２０によって取得されたものを言い、コンテンツデータに含まれる画像データとは異なる。
【００３４】
以下、電子アルバム作成システムや電子アルバム作成装置の構成要素を、電子アルバム作成の手順に沿って詳しく説明していく。
【００３５】
ＧＰＳ機能付き撮像装置１４は、撮像した画像データに撮像地点と撮像時刻の情報を付加して保存するように構成されている。撮像地点情報は、画像データ撮像時のＧＰＳ機能による位置測定（例えば、緯度、経度測定）に基づいて作成され、画像データに付加される。同時に、撮像時刻情報も画像データに付加される。
【００３６】
画像データ３６は、例えば、ＧＰＳ機能付き撮像装置１４に搭載された記録媒体書込み／読出し装置（図示せず）を介して記録媒体３８に保存される。記録媒体３８には、例えば、フラッシュメモリなどがある。代わりとして、ＧＰＳ機能付き撮像装置１４内部に搭載された記憶装置（例えば、ハードディスクなど）に記憶してもよい。
【００３７】
画像データ取得部２０は、ＧＰＳ機能付き撮像装置１４から画像データを取得するものである。画像データの取得方法の一例として、ＧＰＳ機能付き撮像装置１４によって撮像された画像データ３６を有する記録媒体３８を介して行う方法や、ＵＳＢ規格のケーブル４０を介してＧＰＳ機能付き撮像装置１４から画像データ取得部２０に画像データを転送する方法がある。画像データ取得部２０は、例えば、フラッシュメモリの読出し装置、ＵＳＢケーブルの差込み口などを有することにより、あらゆる画像データの取得方法に対応するのが好ましい。
【００３８】
電子アルバム作成装置１２の制御部２２は、電子アルバム作成装置１２を制御して電子アルバムを作成するとともに、電子アルバム作成に必要な画像データを画像データ取得部２０から取得し、また、電子アルバム作成に関する電子アルバム作成者からの指令を入力部２８を介して受けとるように構成されている。さらに、出力部２６にアルバム作成に関する情報を出力し、また、電子アルバム記録部２４に電子アルバムのデータを送信するように構成されている。
【００３９】
画像データ保存部３０は、画像データ取得部２０を介して取得した画像データを保存するように構成されている。
【００４０】
コンテンツ記憶部３２には、複数の所定場所それぞれに関する画像データ、音声データ、またはテキストデータなどのコンテンツデータが予め記憶されている。所定場所は、例えば、旅行時に目的地として訪問されるような、いわゆる、有名な観光スポットや宿泊施設、娯楽施設などである。コンテンツデータとして、例えば、寺社などの観光スポットの場合、建立日や建立理由を示すテキストデータや寺社の画像データなどがある。また、遊園地などの観光スポットは、アトラクション名や開園日や入場料を示すテキストデータやアトラクションの画像データなどがある。
【００４１】
所定場所は、ある大きさを有する領域で定義されている。例えば、寺社や遊園地などの建造物が建設されている敷地で定義されることもあれば、敷地で定義できない景観地などは所定の緯度と経度から半径１ｋｍ以内の領域などの領域で定義されることもある。図２は、所定場所の領域が点線で示されている複数の所定場所を示す概略的な地図である。所定場所Ｓ１〜Ｓ１０には、所定場所の領域Ｐ１〜Ｐ１０が定義されている。コンテンツデータそれぞれには、対応する所定場所の領域の情報（所定場所領域情報）が付加されている。
【００４２】
また、コンテンツデータそれぞれは、コンテンツデータそれぞれに対応する所定場所同士が対応付けされることにより、相互に対応付けされている。図２に示すように、複数のコンテンツデータそれぞれと対応する複数の所定場所Ｓ１〜Ｓ１０において、対応付けされている所定場所同士の間には矢印Ａが示されている。例えば、所定場所Ｓ１とＳ９とは対応付けされており、所定場所Ｓ３とＳ５は対応付けされていない。対応付けは、関係がある所定場所同士、例えば、同時代に建立された寺社同士、遊園地や景観地と近傍の宿泊施設などの間で行われる。なお、確認のために、対応付けは、近接し合う所定場所間で行われる場合もあれば、離れた所定場所間で行われる場合もある。加えて、他の所定場所と対応付けされていない所定場所がある場合もある（例えば、図中、所定場所Ｓ７が該当する。）。
【００４３】
コンテンツデータそれぞれには、対応する所定場所と対応付けされている他の所定場所に関するコンテンツデータとの対応付け関係を示す対応付け情報が付加されている。例えば、所定場所Ｓ１に関するコンテンツデータには、所定場所Ｓ９に関するコンテンツデータと対応付けされていることを示す対応付け情報が付加されている。
【００４４】
コンテンツ抽出部３４は、画像データ保存部３０に保存されている複数の画像データそれぞれの撮像地点情報に基づいて、複数の画像データそれぞれの撮像地点と関連する所定場所に関するコンテンツデータを、別の言い方をすれば、画像データと関連して電子アルバムに共に組み込まれるコンテンツデータをコンテンツ記憶部３２から抽出するように構成されている。
【００４５】
画像データの撮像地点は、撮像者の意思によって決定される任意の位置である。一方、コンテンツデータに対応する所定場所は、システムの管理者などにより用意された領域である。そのため、コンテンツ抽出部３４は、画像データ保存部３０に保存されている複数の画像データそれぞれに対し、画像データに付加されている撮像地点情報とコンテンツ記憶部２４内の複数のコンテンツデータに付加されている所定場所領域情報に基づいて、撮像地点との間に所定の位置関係が存在する所定場所に関するコンテンツデータを抽出する。
【００４６】
所定場所に撮像地点が含まれている場合、該所定場所と該撮像地点との間には所定の位置関係が存在するものとする。この場合、コンテンツ抽出部３４は、撮像地点を含んでいる所定場所に関するコンテンツデータを抽出するとともに、該コンテンツデータに付加されている対応付け情報に基づいて、該所定場所と対応付けされている所定場所に関するコンテンツデータを抽出する。
【００４７】
また、コンテンツ抽出部３４は、画像データの撮像地点が複数の所定場所（複数のコンテンツデータそれぞれに対応する所定場所）のいずれにも含まれない場合であっても、コンテンツデータを抽出するように構成されている。
【００４８】
具体的には、コンテンツ抽出部３４は、複数の画像データの撮像地点を通過する仮想上の撮像者の移動軌跡（仮想軌跡）を想定し、該仮想軌跡が通過する所定場所を見出し、該所定場所に関するコンテンツデータを抽出するように構成されている。この抽出方法について、図３に示す例を参照しながら説明する。図３は、複数の撮像地点と所定場所、および仮想軌跡を示す図であり、撮像地点と所定場所およびそれらの位置関係は図２と対応している。
【００４９】
図３において、撮像地点Ｃ１〜Ｃ４が示されている（撮像地点Ｃ３は実線丸印で示されている所定場所Ｓ３に含まれている。）。図中、撮像地点Ｃ１〜Ｃ４を通過する仮想軌跡ＶＲが示されている。仮想軌跡ＶＲは、複数の画像データそれぞれに付加されている撮像時刻情報に基づいて撮像時刻順に該画像データの撮像地点を線で結んだ仮想上の撮像者の移動軌跡である。
【００５０】
図に示すように、仮想軌跡ＶＲは、所定場所Ｓ１０の領域Ｐ１０を通過している。このような場合、コンテンツ抽出部２６は、所定場所Ｓ１０に関するコンテンツデータを抽出する。
【００５１】
さらに、コンテンツ抽出部３４は、仮想軌跡ＶＲから一定距離内にある所定場所やトラップエリア（後述）のコンテンツデータを抽出してもよい。例えば、図３と対応する図４に示すように、仮想軌跡ＶＲから一定距離Ｗの範囲内（図中、ハッチングされている領域）に一部が存在する所定場所Ｓ２とＳ６に関するコンテンツデータを抽出してもよい。
【００５２】
仮想軌跡ＶＲは複数の撮像地点によって決定されるものであるため、仮想軌跡ＶＲと所定場所の位置関係も、撮像地点と所定場所との間の所定の位置関係に該当する。
【００５３】
コンテンツ抽出部３４は、仮想軌跡が所定場所を通過しない場合であっても、仮想軌跡によってコンテンツデータが抽出されるように構成されている。そのために、所定場所には、所定場所を定義する領域以外に、別の領域（以下、「トラップエリア」と称する。）が定義されている。トラップエリアは、所定場所を部分的にまたは全部を含む（所定場所を定義する領域を部分的にまたは全部を含む）ように定義されるか、所定場所を含まないように（所定場所から離れて）定義されるかのいずれかである。コンテンツ抽出部３４は、仮想軌跡が通過しているトラップエリアが定義されている所定場所に関するコンテンツデータを抽出するように構成されている。
【００５４】
例えば、図５（所定場所の位置関係は、図２〜図４と対応している）に示すように、所定場所Ｓ１〜Ｓ１０それぞれに対し、トラップエリアＴ１〜Ｔ１０（一点鎖線丸印で示されている。）が定義されている。
【００５５】
トラップエリアＴ７を除くトラップエリアは、対応する所定場所を含むように定義されている。所定場所を部分的にまたは全部を含むようにトラップエリアを定義することにより、該所定場所に関するコンテンツデータが抽出される可能性が高くなる。それは、仮想軌跡が所定場所を通過する確率に比べ、該所定場所を含むように定義されているトラップエリアを通過する確率の方が高くなるためである。
【００５６】
また、トラップエリアは、図に示す所定場所Ｓ７のトラップエリアＴ７のように、対応する所定場所から離れた位置に設けられることがある。例えば、所定場所Ｓ７が山奥にあって他の所定場所から離れた位置に存在する場合、撮像者が所定場所Ｓ７を知らない限り、所定場所Ｓ７またはその近傍を訪れることはない。また、所定場所Ｓ７のように他の所定場所と対応付けされていない場合（図２参照）、所定場所Ｓ７に関するコンテンツデータは抽出される可能性は低い。このような所定場所においては、他の所定領域近傍にトラップエリアを設けることにより、該トラップエリアを仮想軌跡ＶＲが横切る可能性が高くなり、該トラップエリアに対応するコンテンツデータが抽出される可能性が高くなる。
【００５７】
例えば、図４において図５に示すようなトラップエリアを定義した場合、すなわち、図６に示すように（図４と図５を重ねた図６に示すように）、トラップエリアＴ５とＴ７と対応する所定場所Ｓ５とＳ７に関するコンテンツデータが抽出される。
【００５８】
トラップエリアは所定場所に対して定義されるものであり、また、仮想軌跡も複数の撮像地点によって決定されることから、トラップエリアと仮想軌跡の位置関係も、所定場所と撮像地点との間の所定の位置関係に該当する。
【００５９】
トラップエリアを定義するための情報（トラップエリア定義情報）は、対応する所定場所に関するコンテンツデータに付加されている。
【００６０】
なお、トラップエリアに撮像地点が存在する場合、トラップエリアが定義されている所定場所に関するコンテンツデータを抽出するように、コンテンツ抽出部３４を構成してもよい。
【００６１】
トラップエリアによって、より多くのコンテンツデータが抽出されるため（より多くのコンテンツデータが電子アルバムに組み込まれるため）、所定場所（観光スポット）を有する地域（例えば、観光地）の観光業者の立場から見れば、電子アルバム閲覧者に対してより多くの観光スポットの情報を提供できるという利点、すなわち、観光地を宣伝できるという効果が生じる。
【００６２】
図１に戻って、電子アルバム編集部３６は、画像データ保存部３０に保存されている画像データと、コンテンツ抽出部３４が抽出したコンテンツデータと、予め用意されたコンテンツ出力プログラム（コンテンツ出力プログラムの詳細は後述する。）を含む電子アルバムを編集するように構成されている。このとき、コンテンツ出力プログラムがコンピュータに出力させる画像データ保存部３０に保存されている画像データとコンテンツ抽出部３４が抽出したコンテンツデータの出力順が決定される。
【００６３】
画像データとコンテンツデータの出力順は、画像データが撮像時刻順に出力されるように、また、コンテンツデータが撮像時刻順に出力されている画像データの間に割り込む形で出力されるように決定される。例えば、所定場所内に撮像地点が含まれている画像データの後に、該所定場所に関するコンテンツデータが出力され、続いて、該所定場所と対応付けされている所定場所のコンテンツデータが出力されるような出力順に、電子アルバム編集部２８は出力順を決定する。
【００６４】
また、仮想軌跡ＶＲに関連して（仮想軌跡ＶＲが通過する所定場所またはトラップエリアに関する）コンテンツデータが抽出されている場合、コンテンツデータに対応する所定場所から最短距離に存在する仮想軌跡ＶＲ上の仮想点を想定する。しかしながら、仮想軌跡ＶＲが通過している所定場所から仮想軌跡ＶＲへの最短距離は０であるため、例えば、所定場所の中心からの距離が最短となる位置や、仮想軌跡ＶＲと所定場所と所定場所外とを隔てる境界との交点を仮想点と想定する。仮想点は、複数の撮像地点を通過する仮想軌跡ＶＲ上において複数の撮像地点の間に存在する。この仮想点を仮想軌跡ＶＲ上の近傍で挟んでいる２つの撮像地点に対応する２つの撮像時刻の間の時刻を仮想点の疑似時刻とする。
【００６５】
例えば、仮想点ＶＰの近傍に２つの撮像地点Ｘ１とＸ２があって、対応する２つの撮像時刻の差が２０分であり（撮像地点Ｘ１の撮像時刻の方が古い。）、撮像地点Ｘ１とＸ２から等距離に仮想点ＶＰがある場合、仮想点ＶＰに対応する疑似時刻は、撮像地点Ｘ１に対応する撮像時刻の１０分後と見なすことができる。当然ながら、疑似時刻は、仮想点と撮像地点の距離によっても変化し、最も近い撮像時点に対応する撮像時刻に近い時刻となる。アルバム編集部３６は、仮想点に対応する疑似時刻と撮像地点に対応する撮像時刻に基づいて、仮想点に対応する所定場所に関するコンテンツデータと、撮像地点に対応する画像データの出力順を決定する。
【００６６】
例えば、図６に示すような仮想軌跡ＶＲと所定場所Ｓ１〜Ｓ１０から決定される画像データとコンテンツデータの出力順は、まず、撮像地点Ｃ１で撮像された画像データが出力され、以後、所定場所Ｓ２に関するコンテンツデータ、撮像地点Ｃ２で撮像された画像データ、所定場所Ｓ５に関するコンテンツデータ、所定場所Ｓ６に関するコンテンツデータ、所定場所Ｓ７に関するコンテンツデータ、所定場所Ｓ３内の撮像地点Ｃ３で撮像された画像データと所定場所Ｓ３に関するコンテンツデータ、所定場所Ｓ３と対応付けされている所定場所Ｓ８に関するコンテンツデータ、所定場所Ｓ１０に関するコンテンツデータ、撮像地点Ｃ４で作成された画像データとなる。
【００６７】
電子アルバム編集部３６は、画像データとコンテンツデータの出力順を示す情報を、出力順情報データとして電子アルバム内に付加する。
【００６８】
図１に戻って、電子アルバム記録部２４は、電子アルバム編集部３６が編集した電子アルバムを記録媒体４２に記録するように構成されている。電子アルバム記録部３０は、書き込み可能な記録媒体（例えば、ＣＤ―ＲやＤＶＤ―Ｒ）に、電子アルバムを記録する。このようにして記録媒体に記録された電子アルバムは、記録媒体読出し装置を有し、コンテンツ出力プログラムが実行できるコンピュータであれば、コンテンツデータを閲覧することができる。
【００６９】
出力部２６は、例えば、表示装置の表示画面やスピーカなどであって、電子アルバム作成に関する情報を電子アルバム作成者に出力するようにしてある。例えば、電子アルバムの編集状況、電子アルバム記録部２４によって記録媒体に記録される前の電子アルバムのプレビュー表示、入力部３６による所定操作を促す指示（例えば、「このような内容で電子アルバムを記録しますか？」と表示し、決定ボタンまたは否定ボタンによる入力を促す指示）などを提示する。
【００７０】
入力部２８は、例えば、キーボードやタッチパネルなどであって、電子アルバム作成に関するアルバム作成者の指示を受けるためのものである。例えば、電子アルバムを記録する記録媒体の枚数や記録媒体の種類などが入力される。
【００７１】
ここからは、電子アルバムの作成処理を、図７に示す電子アルバム作成フローの一例を参照しながら説明する。作成処理をより理解し易くするために、一つの具体例を挙げて説明する。
【００７２】
ここでは、観光スポット（所定場所）Ｓ１〜Ｓ１０を有する観光地（図２〜６に示される所定場所Ｓ１〜Ｓ１０を有する地域）を旅行した電子アルバム作成者が、旅行時にＧＰＳ機能付き撮像装置で撮像した画像データから電子アルバムを作成する具体例を挙げる。
【００７３】
まず、ステップ１００において、画像データ取得部２０が、観光地で撮像された複数の画像データを取得する。
【００７４】
ステップ１１０において、画像データ取得部２０を介して取得された複数の画像データは画像データ保存部３０に保存される。
【００７５】
ステップ１２０において、コンテンツ抽出部３４が、画像データ保存部３０に保存されている複数の画像データそれぞれに付加されている撮像地点情報に基づいて、各画像データの撮像地点を特定する。このとき、撮像地点Ｃ１〜Ｃ４が特定される（図３参照。）。
【００７６】
ステップ１３０において、コンテンツ抽出部２６が、ステップ１２０において特定された各画像データの撮像地点に基づいて、コンテンツ記憶部３２からコンテンツデータを抽出する。コンテンツ抽出部２６がステップ１３０で行うコンテンツデータの抽出の処理を、図８に示すコンテンツ抽出処理フローを参照しながら説明する。ここでは、撮像地点（各画像データの撮像地点）をＣ（ｉ）（ｉは整数）と表現し、ｎ＋１箇所の撮像地点Ｃ（０）〜Ｃ（ｎ）存在するとする（ｎは整数）。
【００７７】
まず、ステップ２００において、変数ｉを０に設定する。
【００７８】
ステップ２１０において、ステップ１２０において特定された撮像地点Ｃ（ｉ）がコンテンツデータに対応する所定場所内に存在するか否かを確認する。言い換えると、撮像地点Ｃ（ｉ）が含まれる所定場所に関するコンテンツデータがコンテンツ記憶部３２に存在するか否かを確認する。存在する場合、ステップ２２０に進む。存在しない場合、ステップ２４０に進む。
【００７９】
ステップ２２０において、撮像地点Ｃ（ｉ）を含む所定場所に関するコンテンツデータを、コンテンツ記憶部３２から抽出する。本例において、撮像地点Ｃ３を含む観光スポットＳ３に関するコンテンツデータが抽出される（図３参照。）。
【００８０】
ステップ２３０において、ステップ２２０において抽出されたコンテンツデータに付加されている対応付け情報に基づいて、対応付けされているコンテンツデータを抽出する。本例において、観光スポットＳ３と対応付けされている観光スポットＳ８に関するコンテンツデータが抽出される（図２参照。）。
【００８１】
ステップ２４０において、撮像地点Ｃ（ｉ）がコンテンツデータに対応する所定場所に定義されたトラップエリア内に存在するか否かを確認する。言い換えると、撮像地点Ｃ（ｉ）が含まれるトラップエリアが定義されている所定場所に関するコンテンツデータがコンテンツ記憶部３２に存在するか否かを確認する。存在する場合、ステップ２５０に進む。存在しない場合、ステップ２６０に進む。
【００８２】
ステップ２５０において、撮像地点Ｃ（ｉ）を含んでいるトラップエリアが定義されている所定場所に関するコンテンツデータを抽出する。本例において、撮像地点Ｃ１〜Ｃ４は、トラップエリアに存在していない。
【００８３】
ステップ２６０において、変数ｉがｎであるか否かを確認する。言い換えると、全ての撮像地点Ｃ（ｉ）〜Ｃ（ｎ）に対する処理が終了したことを確認する。ｎである場合、ステップ２８０に進む。ｎでない場合、ステップ２７０に進む。
【００８４】
ステップ２７０において、変数ｉを１インクリメントする。続いて、ステップ２１０に戻る。
【００８５】
ステップ２８０において、複数の撮像地点Ｃ（ｉ）〜Ｃ（ｎ）を通過する仮想軌跡ＶＲを算出する。本例において、撮像地点Ｃ１〜Ｃ４を通過する仮想軌跡ＶＲが算出される（図３参照。）。
【００８６】
ステップ２９０において、ステップ２８０において算出された仮想軌跡ＶＲがコンテンツデータに対応する所定場所または所定場所に定義されたトラップエリアを通過しているか否かを確認する。言い換えると、仮想軌跡が通過している所定場所に関するコンテンツデータまたはトラップエリアが定義されている所定場所に関するコンテンツデータがコンテンツ記憶部３２に存在するか否かを確認する。存在する場合、ステップ３００に進む。存在しない場合、ステップ３１０に進む
【００８７】
ステップ３００において、仮想軌跡ＶＲが通過している所定場所またはトラップエリアが定義されている所定場所に関するコンテンツデータを抽出する。本例において、トラップエリアＴ２が定義されている観光スポットＳ２に関するコンテンツデータと、観光スポットＳ１０に関するコンテンツデータが抽出される（図６参照。）。
【００８８】
ステップ３１０において、ステップ２８０において算出された仮想軌跡ＶＲがコンテンツデータに対応する所定場所または該所定場所に定義されたトラップエリアから一定距離の範囲内に存在するか否かを確認する。言い換えると、仮想軌跡から一定の距離内に存在する所定場所またはトラップエリアが定義されている所定場所に関するコンテンツデータがコンテンツ記憶部３２に存在するか否かを確認する。存在する場合、ステップ３２０に進む。存在しない場合、抽出処理が完了する。
【００８９】
ステップ３２０において、仮想軌跡から一定の距離内に存在する所定場所またはトラップエリアが定義されている所定場所に関するコンテンツデータを抽出する。本例において、ステップ３２０以前で抽出されたコンテンツデータ以外に、仮想軌跡より一定の距離内に一部が存在するトラップエリアＴ５，Ｔ６、Ｔ７が定義されている観光スポットＳ５、Ｓ６、Ｓ７に関するコンテンツデータが抽出される。
【００９０】
ステップ３２０の処理終了後、コンテンツ抽出部３４のコンテンツデータ抽出処理が完了する。
【００９１】
図７に戻り、ステップ１４０において、電子アルバム編集部３６が、画像データ保存部３０に保存されている画像データとコンテンツ抽出部３４が抽出したコンテンツデータとを含む電子アルバムを編集する。本例において、撮像地点Ｃ１〜Ｃ４で撮像された画像データと、観光地スポットＳ２、Ｓ３、Ｓ５、Ｓ６、Ｓ７、Ｓ８、Ｓ１０に関するコンテンツデータとを含む電子アルバムが編集される。
【００９２】
また、ステップ１４０において、電子アルバム編集部３６が、画像データとコンテンツデータの出力順情報データを電子アルバム内に作成する。本例において、出力順情報データが示す出力順は、撮像地点Ｃ１の画像データ、観光スポットＳ２に関するコンテンツデータ、撮像地点Ｃ２の画像データ、観光スポットＳ５に関するコンテンツデータ、観光スポットＳ６に関するコンテンツデータ、観光スポットＳ７に関するコンテンツデータ、観光スポットＳ３内の撮像地点Ｃ３の画像データと観光スポットＳ３に関するコンテンツデータ、観光スポットＳ３と対応付けされている観光スポットＳ８に関するコンテンツデータ（図２参照。）、観光スポットＳ１０に関するコンテンツデータ、撮像地点Ｃ４の画像データとなる（図６参照）。
【００９３】
ステップ１５０において、電子アルバム記録部３０が、電子アルバムを記録媒体４２に記録する。これにより、電子アルバム作成処理が終了する。
【００９４】
ここからは、作成された電子アルバムと、電子アルバムが行う画像データとコンテンツデータの出力に関して説明する。
【００９５】
電子アルバムは、電子アルバムを読出し可能な記録媒体読み出し装置を備え、コンテンツ出力プログラムの実行可能なコンピュータ（例えば、パーソナルコンピュータなど）上で使用される。なお、本明細書で説明するコンピュータは、電子アルバム内のコンテンツデータ（画像データとコンテンツデータ）を電子アルバム閲覧者（電子アルバム作成者を含む）に出力することができる出力装置、例えば、表示装置（ディスプレイ）や音声出力装置（スピーカ）などを含んでいる。さらに、電子アルバム閲覧者から電子アルバムに関する指令を受けるための入力装置、キーボードやマウスなどを含んでいる。
【００９６】
電子アルバムがコンピュータに接続された記録媒体読出し装置に配置され、コンテンツ出力プログラムが実行されると、コンテンツ出力プログラムは、入力装置を介する電子アルバム閲覧者からの指令により、電子アルバム内のコンテンツデータをディスプレイの表示画面に表示するように、コンピュータに指令する。
【００９７】
また、コンテンツ出力プログラムは、電子アルバム閲覧者からの指令により、画像データとコンテンツデータをディスプレイの表示画面にスライドショー表示（連続出力）するように、コンピュータに指令することができる。スライドショー表示は、電子アルバム内の出力順情報データに基づいて行われる。電子アルバム閲覧者からの指示により、画像データだけを撮像時刻順にコンピュータにスライドショー表示させるようにコンテンツ出力プログラムを構成してもよい。
【００９８】
さらに、コンテンツ出力プログラムは、画像データの撮像地点とコンテンツデータに対応する所定場所の位置関係をコンピュータに表示させることができる。図９は、位置関係を表示しているディスプレイの表示画面の一例を示している。図９に示される位置関係は、図２〜６に示す位置関係に対応している。
【００９９】
図９に示すディスプレイの表示画面４００において、コンテンツ出力プログラムにより、コンピュータは、位置関係地図４１０と、画像データまたはコンテンツデータに対応するコンテンツ（画像データに対応する画像を含む。）４１２、コンテンツ４１２の情報を示すコンテンツ情報４１４、コンテンツ出力調整ボタン４１６を表示する。
【０１００】
位置関係地図４１０は、画像データ撮像地点とコンテンツデータに対応する所定場所の位置関係を示すものであって、複数の撮像地点アイコン（カメラ状にデザインされたアイコン）４１８と複数の所定場所アイコン４２０が表示されている。位置関係地図４１０上において、撮像地点アイコン４１８と所定場所アイコン４２０の位置関係は、画像データに付加されている撮像地点情報やコンテンツデータに付加されている所定場所領域情報に基づいて決定される。
【０１０１】
コンテンツ４１２は、電子アルバム内の画像データに対応する画像またはコンテンツデータに対応する画像、テキストなどである。
【０１０２】
コンテンツ情報４１４は、コンテンツ４１２に対応する画像データまたはコンテンツデータに関する情報をテキスト表示する。例えば、画像データの撮像地点情報や撮像時刻情報に基づいて撮像時刻や撮像地点、コンテンツデータの場合、対応する所定場所の名前や説明が表示される。
【０１０３】
コンテンツ出力調整ボタン４１６は、例えば、アルバム閲覧者がマウスポインタ（入力装置であるマウスの動きに連動する、図においては矢印上のポインタ）４２２でクリックすることにより、コンテンツの出力を調整する。例えば、コンテンツ４１２として動画のコンテンツデータが表示されている場合、再生速度の調節や一時停止させる場合にクリックされる。
【０１０４】
コンテンツ出力プログラムは、スライドショー表示中、コンテンツ４１２として表示されている画像データまたはコンテンツデータと対応する撮像地点アイコン４１８や所定場所アイコン４２０を、例えば、点滅することで他のアイコンと区別可能に特徴付けするようにコンピュータに指令するようにしてある。これにより、電子アルバム閲覧者は、特徴付けされたアイコンを見て、表示されているコンテンツが、どの場所（撮像地点や所定場所）のものか確認することができる。
【０１０５】
コンテンツ出力プログラムは、例えば、図９に示すように、人型アイコン４２４をスライドショー表示と連動させて位置関係地図４１０上を移動表示させるようにコンピュータに指令することができる。
【０１０６】
具体的に、人型アイコン４２４は、複数の撮像地点アイコン４１８を通過する線４２６（仮想軌跡ＶＲに相当する）上を移動するように表示される。コンテンツ出力プログラムは、コンピュータに対し、人型アイコン４１８が線４２６上の撮像地点アイコン４１８に重なって表示されているときには撮像地点アイコン４１８に対応する画像データの画像が表示されているように、また、人型アイコン４２４が線４２６上の所定場所アイコン４２０近傍に表示されているときには人型アイコン４２４が近傍に存在する所定場所に関するコンテンツデータのコンテンツ４１２が表示されているように、スライドショー表示を実行させる。
【０１０７】
コンテンツデータの場合、例えば、コンテンツ出力プログラムは、所定場所アイコン４２０から最短距離に存在する線４２６上の仮想点（上述の仮想点と対応している）を想定し、仮想点上に移動表示している人型アイコン４２０が到達したとき（人型アイコン４２０によって線４２６においてある仮想点が他の仮想点と区別可能に特徴付けされたとき）、仮想点に対応する所定場所アイコン４２０に対応するコンテンツデータがコンテンツ４１２として表示されるように、コンピュータを機能させる。
【０１０８】
これにより、アルバム閲覧者は、スライドショー表示中、人型アイコン４２４が移動して撮像地点アイコン４１８や所定場所アイコン４２０近傍にあるとき、対応する画像やコンテンツを閲覧していることになる。
【０１０９】
加えて、コンテンツ出力プログラムは、電子アルバム閲覧者からの指令により、画像データをディスプレイの表示画面にサムネイル表示するように、コンピュータに指令する構成をさらに備えてもよい。指令を受けたコンピュータは、アルバム内の画像データに対応する画像をディスプレイの表示画面に表示する。これにより、電子アルバム閲覧者は、アルバム内の画像データに対応する画像を閲覧することができる。また、電子アルバム閲覧者によって位置関係地図４１０上の撮像地点アイコン４１８や所定場所アイコン４２０がマウスポインタ４２２を介してクリックされることにより、クリックされたアイコンに関する画像データに対応する画像またはコンテンツデータのコンテンツを表示するようにコンピュータに指令する構成を備えてもよい。
【０１１０】
第２の実施形態．
第１の実施形態は、撮像地点情報と撮像時刻情報が付加されている画像データを用いて電子アルバムを作成するのに対し、本実施形態は、撮像時刻情報のみが付加されている画像データを用いて電子アルバムを作成するものである。
【０１１１】
図１０に、本実施形態の電子アルバム作成装置の概略的な構成図を示す。本実施形態は、第１の実施形態と類似しているが、画像データの撮像地点を含む撮像者の移動軌跡の情報を得るための移動軌跡情報取得部と、移動軌跡から画像データの撮像地点を特定する撮像地点特定部を有する点で異なる。
【０１１２】
ここで言う「移動軌跡」は撮像者の移動した経路を言う。一方、「移動軌跡の情報」は撮像者が携帯する位置測定装置（例えば、ＧＰＳ信号受信機）によって一定の間隔で所定の時刻毎に位置測定された複数の地点（測定時刻が既知の位置測定点）の集合である。そのため、位置測定点を時系列的に隣り合う同士で直線によって結んで形成される軌跡と「移動軌跡」とは完全には一致しない。しかしながら、完全に一致しないまでも、１つの位置測定地点の測定時刻から次の位置測定地点の測定時刻までの時間に撮像者がこれらの位置測定地点から大きく離れることは考え難いことから、本明細書においては、位置測定点を時系列的に隣り合う同士で直線によって結んで形成される軌跡を、「移動軌跡」と同等のものとして扱う。
【０１１３】
移動軌跡情報取得部と撮像地点特定部、移動軌跡情報取得部が取得した移動軌跡情報に基づいてコンテンツデータを抽出するコンテンツ抽出部、移動軌跡情報に基づいてコンテンツデータの出力順を決定する電子アルバム編集部を除いて、第１の実施形態の構成要素と同一の構成要素は、第１の実施形態の符号の数字に５００を加えた数字の符号で示し、また、その説明を一部省略する。以下、移動軌跡情報取得部５４６、撮像地点特定部５４８、コンテンツ抽出部５２６、電子アルバム編集部５２８について説明する。
【０１１４】
移動軌跡情報取得部５４６は、例えば、カーナビゲーションシステムや携帯型ＧＰＳ信号受信機などの位置測定装置（一定の間隔で所定の時刻毎に位置測定を行う位置測定装置）から時刻情報を含む移動軌跡情報を取得する。カーナビゲーションシステムや携帯型ＧＰＳ信号受信機には、例えば、移動軌跡の情報を管理保存するために、移動軌跡情報を記録媒体に記録することができるものがある。移動軌跡情報取得部５４６は、このような位置測定装置によって記録媒体に記録された移動軌跡情報を取得するように構成されている。
【０１１５】
撮像地点特定部５４８は、移動軌跡情報取得部５４６が取得した移動軌跡情報と画像データに付加されている撮像時刻情報を用いて、画像データの撮像地点を特定する。これは、画像データの撮像地点が移動軌跡上に存在する、すなわち、移動軌跡に従って移動する者が画像データを撮像したことを前提としている。
【０１１６】
具体的に言えば、撮像地点特定部５４８は、移動軌跡情報内の位置測定点の測定時刻情報（位置測定点で測定されたときの時刻を示す情報）と画像データの撮像時刻情報に基づいて、測定時刻と撮像時刻が略一致する位置測定点を探し出す。撮像時刻と略一致する測定時刻の位置測定点が探し出された場合、該位置測定点を撮像地点と特定する。
【０１１７】
撮像時刻と略一致する測定時刻の位置測定点が探し出されなかった場合、撮像地点特定部５４８は、撮像時刻前後において最も撮像時刻に近い測定時刻の位置測定点を２つ探し出す。撮像地点は、探し出された２つの位置測定点を結んだ直線上に存在するものとみなし、直線上のある位置を撮像地点と特定とする。例えば、撮像時刻が２つの位置測定点の測定時刻の略中間であるとき、撮像地点は、２つの測定地点から等距離の位置に特定される。
【０１１８】
コンテンツ抽出部５２６は、第１の実施形態のコンテンツ抽出部３４と略同じように、コンテンツデータをコンテンツ記憶部５２４から抽出するが、第１の実施形態では仮想軌跡を用いたのに対し、本実施形態は移動軌跡を用いる。すなわち、本実施形態のコンテンツ抽出部５２６は、移動軌跡に関連するコンテンツデータを抽出するように、具体的に言えば、移動軌跡が通過する所定場所やトラップエリアに関するコンテンツデータを抽出するように構成されている。また、第１の実施形態の仮想軌跡と同様に、移動軌跡から一定の距離に存在する所定場所やトラップエリアに関するコンテンツデータを抽出してもよい。
【０１１９】
コンテンツ抽出部５２６が行うコンテンツデータの抽出を、一例を挙げて説明する。図１１は、所定場所や撮像地点、移動軌跡を示す一例の図である。図中、所定場所およびそれらの位置関係、それらが有する所定領域およびトラップエリアは、第１の実施形態で説明した図２〜図６に対応している。図中、画像データ撮像地点Ｃ５〜Ｃ８が示されている。撮像地点Ｃ５〜Ｃ８の位置は、撮像地点特定部５４８によって特定された位置である。また、撮像地点Ｃ５〜Ｃ８は、順に、所定場所Ｓ１、Ｓ２、Ｓ３、Ｓ４内に存在する。
【０１２０】
移動軌跡Ｒは、順に、所定場所Ｓ１、Ｓ２、Ｓ５、Ｓ３、トラップエリアＴ１０、所定場所Ｓ４を通過している。コンテンツ抽出部５２６は、所定場所Ｓ１，Ｓ２、Ｓ５、Ｓ３、Ｓ１０、Ｓ４に関するコンテンツデータを抽出する。
【０１２１】
電子アルバム編集部５２８は、第１の実施形態の電子アルバム編集部５２８が仮想軌跡ＶＲに関連する所定場所に関するコンテンツデータと画像データとの出力順を決定したときと類似の方法で、移動軌跡Ｒと関連する所定場所に関するコンテンツデータと画像データの出力順を決定する。
【０１２２】
移動軌跡Ｒに関連して（移動軌跡Ｒが通過する所定場所またはトラップエリアに関する）コンテンツデータが抽出されている場合、コンテンツデータに対応する所定場所から最短距離に存在する移動軌跡Ｒ上の仮想点を想定する。しかしながら、移動軌跡Ｒが通過している所定場所から移動軌跡Ｒへの最短距離は０であるため、例えば、所定場所の中心からの距離が最短となる位置や、移動軌跡Ｒと所定場所と所定場所外とを隔てる境界との交点を仮想点と想定する。また、移動軌跡は、上述したように、位置測定点の集合であるため、仮想点が位置測定地点と一致しない場合がある。このような場合、時系列的に隣り合う位置測定点同士を結んだ直線上に仮想点が存在するように、該仮想点を想定する。この仮想点と一致する位置測定点の測定時刻を、または、仮想点近傍で挟んでいる２つの位置測定点に対応する２つの測定時刻の間の時刻を仮想点の疑似時刻とする。アルバム編集部５３６は、仮想点に対応する疑似時刻と撮像地点特定部５４８によって特定された撮像地点に対応する撮像時刻に基づいて、仮想点に対応する所定場所に関するコンテンツデータと、撮像地点に対応する画像データの出力順を決定する。
【０１２３】
図１１に示すような一例において、出力順は、順に、撮像地点Ｃ５で撮像された画像データと所定場所Ｓ１に関するコンテンツデータ、撮像地点Ｃ６で撮像された画像データと所定場所Ｓ２に関するコンテンツデータ、所定場所Ｓ５に関するコンテンツデータ、撮像地点Ｃ７で作成された画像データと所定場所Ｓ３に関するコンテンツデータ、所定場所Ｓ１０に関するコンテンツデータ、撮像地点Ｃ８で撮像された画像データと所定場所Ｓ４に関するコンテンツデータとなる。
【０１２４】
本実施形態の電子アルバムの作成処理フローの一例を図１２に示す。ステップ６００において、画像データ取得部５２０が、撮像地点で撮像された複数の画像データを取得する。
【０１２５】
ステップ６１０において、画像データ取得部５２０を介して取得された複数の画像データが画像データ保存部５２２に保存される。
【０１２６】
ステップ６２０において、移動軌跡情報取得部５４６が、移動軌跡情報を取得する。
【０１２７】
ステップ６３０において、撮像地点特定部５４８が、移動軌跡情報取得部５４６が取得した移動軌跡情報と画像データの撮像時刻情報に基づいて、該画像データの撮像地点を特定する。
【０１２８】
ステップ６４０において、コンテンツ抽出部５２６が、コンテンツデータをコンテンツ記憶部５２４から抽出する。抽出処理は、撮像地点がステップ６３０において特定された撮像地点となり、また、仮想軌跡が移動軌跡となるだけで、処理内容は第１の実施形態の抽出処理と同じである。従って、本実施形態のコンテンツデータ抽出処理の説明は省略する。
【０１２９】
ステップ６５０において、電子アルバム編集部５２８が、画像データ保存部５２２に保存されている画像データとコンテンツ抽出部５２８が抽出したコンテンツデータとを含む電子アルバムを編集する。また、画像データとコンテンツデータの出力順情報データを電子アルバムに作成する。
【０１３０】
ステップ６６０において、電子アルバム記録部５３０が、電子アルバムを記録媒体に記録する。これにより、電子アルバム作成処理が終了する。
【０１３１】
本実施形態によって作成される電子アルバムは、第１の実施形態によって作成される電子アルバムと同じであるため説明を省略する。
【０１３２】
本実施形態によれば、撮像者の移動軌跡に関連するコンテンツデータが電子アルバムに組み込まれる。それにより、電子アルバム閲覧者は、撮像者が訪れたにも関わらず画像データの撮像を行わなかった所定場所（図１１において、所定場所Ｓ５が該当する。）についての情報を、該所定場所に関するコンテンツデータを閲覧することによって知ることができる。
【０１３３】
以上、２つの実施形態を挙げて本発明を説明したが、撮像者が撮像した画像データとともに、画像データ撮像地点と関連するまたは撮像者の移動軌跡と関連する所定場所のコンテンツデータを組み込んだ電子アルバムを作成する電子アルバム作成装置や電子アルバム作成システムは他の形態でも可能である。以下、他の形態の例を挙げる。
【０１３４】
例えば、第２の実施形態のコンテンツ抽出部を、第１の実施形態のコンテンツ抽出部と同様にして、仮想軌跡に関連してコンテンツデータを抽出する機能をさらに備えるようにしてもよい。これにより、画像データの撮像地点情報の有無、または、移動軌跡情報の有無にかかわらず、電子アルバム作成装置は電子アルバムを作成することができるようになる。
【０１３５】
また、コンテンツ抽出部は、選択的にコンテンツデータ抽出方法を変更してもよい。上述の２つの実施形態において、抽出されるコンテンツデータは、画像データの撮像地点を含む所定場所に関するもの、撮像地点を含む所定場所に対応付けされた所定場所に関するもの、仮想軌跡（移動軌跡）が通過する若しくは仮想軌跡（移動軌跡）から一定の距離にある所定場所やトラップエリアに関するものなどである。したがって、画像データの数に比べて、コンテンツデータの数が極端に多くなることがある。このような場合、電子アルバム閲覧者は、本来閲覧したい画像データが閲覧しにくくなる可能性がある。
【０１３６】
このような可能性に対応するために、コンテンツ抽出部は、例えば、画像データ保存部内の複数の画像データの撮像地点情報を参照し、これら画像データほとんどの撮像地点がある所定場所内に存在する場合、仮想軌跡（移動軌跡）が通過する又は一定の距離にある場所（所定場所やトラップエリア）に関するコンテンツデータの抽出をしないように構成してもよい。
【０１３７】
さらに、電子アルバムに組み込まれるコンテンツデータは、電子アルバム作成者によって選択されてもよい。コンテンツ抽出部によって抽出されたコンテンツデータが、電子アルバム作成者にとってあまり望まないものである可能性がある。また、電子アルバム作成者が電子アルバムに所望のコンテンツデータを組み込みたい場合がある。
【０１３８】
これらに対応するために、電子アルバム作成装置の制御部は、コンテンツ抽出部が抽出したコンテンツデータ（アルバム作成者に選択されるコンテンツデータ）を出力部に出力させ、例えば、ディスプレイの表示画面サムネイル表示またはリスト表示させ、アルバム作成者が出力部に出力されているコンテンツデータの中から選択したコンテンツデータを示す選択指示を入力部を介して、例えば、タッチパネルを介して受付ける。電子アルバム編集部は、選択指示に従って、アルバム作成者が選択したコンテンツデータを用いて電子アルバムを編集する。これにより、電子アルバム作成者は、好みのコンテンツデータが組み込まれた電子アルバムを作成することができる。
【０１３９】
加えて、１つの所定場所に複数の撮像地点が存在する場合、言い換えると、１つの所定場所内で複数の撮像データが撮像され、それらが電子アルバムに組み込まれる場合、電子アルバムは、位置関係を示す表示画面に１つの所定場所内で撮像された画像データの数を示すようにコンピュータを機能させてもよい。例えば、図９に示すように、位置関係地図４１０上において、所定場所アイコン４２８に対応する所定場所内で撮像された画像データの数を、画像枚数情報４３０として表示してもよい。
【０１４０】
さらにまた、画像データ取得部を撮像地点情報と撮像時刻情報を有しない画像データを取得できるように構成し、電子アルバム作成装置に撮像地点・撮像時刻情報取得部を設ければ、撮像地点情報と撮像時刻情報を有しない画像データでも電子アルバムを作成可能である。
【０１４１】
撮像地点・撮像時刻情報取得部は、画像データ取得部が撮像地点情報と撮像時刻情報を有しない画像データを取得した後、例えば、表示画面に該画像データに対応する画像を表示し、表示されている画像に対応する撮像地点や撮像時刻の情報を入力部を介して入力するようにアルバム作成者に対して促す。撮像地点・撮像時刻情報取得部は、アルバム作成者の入力によって得た撮像地点情報や撮像時刻情報を、画像データ保存部に保存されている対応する画像データに付加する（対応付ける）。このような構成によって撮像地点情報と撮像時刻情報が付加された画像データは、第１の実施形態の画像データと同様に扱うことができる。
【０１４２】
なお、上述において、撮像地点・撮像時刻情報取得部は、複数の画像データにおいて撮像地点と撮像時刻が未知の一部の画像データにアルバム作成者の入力によって撮像地点または撮像時刻の情報を対応付けしているが、当然、複数の画像データ全ての撮像地点が未知である場合にもアルバム作成者の入力によって撮像地点の情報を対応付けることは可能であり、また、複数の画像データ全ての撮像時刻が未知である場合にもアルバム作成者の入力によって撮像時刻の情報を対応付けることは可能である。
【０１４３】
これにより、写真やフィルムなどのデータ形態でないものからも電子アルバムを作成することが可能になる。その場合、画像データ取得部はスキャナを有し、写真やフィルムから画像データを取得する。このとき、上述の撮像地点・撮像時刻情報取得部によって写真やフィルムから作成された画像データに撮像地点情報と撮像時刻情報が付加される。
【図面の簡単な説明】
【０１４４】
【図１】本発明に係る第１の実施形態の電子アルバム作成装置の概略的構成図である。
【図２】所定場所間の対応付けを示す図である。
【図３】仮想軌跡を用いたコンテンツデータ抽出方法を説明するための図である。
【図４】仮想軌跡を用いた別のコンテンツデータ抽出方法を説明するための図である。
【図５】トラップエリアが定義された所定場所を示す図である。
【図６】図４と図５を重ねた図である。
【図７】本発明に係る第１の実施形態の電子アルバム作成処理フロー図である。
【図８】図７の処理中のコンテンツデータ抽出処理サブルーチンを示すフロー図である。
【図９】電子アルバムのコンテンツ出力プログラムによってコンテンツデータや位置関係地図が表示されている表示装置の表示画面の図である。
【図１０】本発明に係る第２の実施形態の電子アルバム作成装置の概略的構成図である。
【図１１】移動軌跡を用いたコンテンツデータ抽出方法を説明するための図である。
【図１２】本発明に係る第２の実施形態の電子アルバム作成処理フロー図である。
【符号の説明】
【０１４５】
１２：電子アルバム作成装置
２０：画像データ取得手段
３２：コンテンツ記憶部
３４：コンテンツ抽出部
３６：電子アルバム編集部
【図１】
2006178844.tif 000003
【図２】
2006178844.tif 000004
【図３】
2006178844.tif 000005
【図４】
2006178844.tif 000006
【図５】
2006178844.tif 000007
【図６】
2006178844.tif 000008
【図７】
2006178844.tif 000009
【図８】
2006178844.tif 000010
【図９】
2006178844.tif 000011
【図１０】
2006178844.tif 000012
【図１１】
2006178844.tif 000013
【図１２】
2006178844.tif 000014